(57)【要約】【課題】  施工現場で簡単かつ短時間に組み付けでき、施工現場の具体的な地形に則して柔軟に構造体を構築し得る木工沈床の通し連結部分の固定構造等を提供する。【解決手段】    構造体の基礎枠の木製枠材に設けたボルト連結用縦通し孔に挿入嵌合されるねじ筒と、ねじ筒に一体的に連結されてねじ筒を縦通し孔に挿入嵌合した状態でねじ筒が動かないように枠材に固定させる固定部と、を含むねじ筒体を取付ける。木製枠材を反転させて固定部を底面側に配置した状態で上方から該縦通し孔に下端を挿入されてねじ筒に長ボルトを螺着させる。長ボルトに挿通されて柵材を交差状にそれぞれの縦通し孔に刺し通し、最上位の柵材から突設する長ボルトの上端側から締結部材を締結させる。簡単な組み付け作業で、高強度の構造体を得る。【選択図】図２                                    
2006037675.tif 000002
【特許請求の範囲】
【請求項１】
内側に石材等を充填する収容部を形成するように基礎枠の周縁上部に複数の横倒し状の柵材を積層し組み付けて形成する沈床木工であり、
基礎枠の木製枠材に設けたボルト連結用縦通し孔に挿入嵌合されるねじ筒と、ねじ筒に一体的に連結されてねじ筒を縦通し孔に挿入嵌合した状態でねじ筒が動かないように枠材に固定させる固定部と、を含むねじ筒体と、
固定部を底面側に配置した状態で上方から該縦通し孔に下端を挿入されてねじ筒に螺着される長ボルトと、
長ボルトに挿通されて柵材を交差状にそれぞれの縦通し孔に刺し通し、最上位の柵材から突設する長ボルトの上端側から締結させる締結部材と、を有する木工沈床の通し連結部分の固定構造。
【請求項２】
固定部は、ねじ筒を縦通し孔に挿入嵌合した状態で枠材の底面から全く突出しないか、又は薄板状のつば部が底面に当たる態様で配置されることを特徴とする請求項１記載の木工沈床の通し連結部分の固定構造。
【請求項３】
長ボルトの下端を縦通し孔のねじ筒に螺着させるに先立って、予め該長ボルトのねじ部にその安定支持用の薄板状ナット部材を螺合させたことを特徴とする請求項１又は２記載の木工沈床の通し連結部分の固定構造。
【請求項４】
長ボルトの基礎枠の枠材に挿入される下端側には該基礎枠の枠材の通し孔長さと略同じ長さのねじ部が刻設されており、長ボルトに柵材の縦通し孔から挿通させ最上位の柵材の上部から締着部材で締着させるときに長ボルトと薄板状ナット部材が共回りしつつ基礎枠材を締め付けることを特徴とする請求項３記載の木工沈床の通し連結部分の固定構造。
【請求項５】
木製柱材を積層して構造体を形成する際の柱材どうしの通し連結部の連結方法であり、
横倒しした最下部の柱材に設けたボルト連結用縦通し孔に、ねじ筒と、ねじ筒に一体的に連結されてねじ筒を縦通し孔に挿入嵌合した状態でねじ筒が動かないように柱材に固定させる固定部と、を含むねじ筒体を取付け、
固定部を底面側に配置した状態で上方から該縦通し孔に長ボルトを挿入してその下端をねじ筒に螺着させ、
長ボルトの突出部分に他の木製柱材の縦通し孔を挿通させて刺し通しし、
最上位の柱材から突設する長ボルトの上端側から締結部材を介して締結させることを特徴とする柱材どうしの通し連結部の連結方法。
【請求項６】
長ボルトの下端を縦通し孔のねじ筒に螺着させるに先立って、予め該長ボルトのねじ部にその安定支持用の薄板状ナット部材を螺合させることを特徴とする請求項５記載の柱材どうしの通し連結部の連結方法。
【請求項７】
請求項５または６の方法を用いて構築した柱材どうしの通し連結部構造。
【発明の詳細な説明】
【技術分野】
【０００１】
本発明は、河川の根固め用等の木工沈床の通し連結部分の固定構造、あるいは木製の構造材の構築に際しての柱材どうしの通し連結部の連結方法並びにその連結部構造に関する。
【背景技術】
【０００２】
河川の川底の洗掘防止に根固めコンクリートブロック施工等が汎用されるが、近時、環境保全のためこのような根固め工にもできるかぎり天然の素材を用いしかも簡便な施工により環境負荷を軽減する試みが多い。例えば木工沈床は、根固め用の大型コンクリートブロック施工のように大型クレーン、大型作業用重機を現場施工時に必要とせず、また、これらの重機の往来用の道路を切り拓く必要がなく、規模も小さくてよいから、周辺環境を荒らさず、しかも工期も短いという利点がある。しかも材料コストも間伐材や天然石等の天然資源を用いるから低廉である。このような、木工沈床についての提案が特許文献１においてなされている。
【特許文献１】特開平１０−３１７３５０号公報
【発明の開示】
【発明が解決しようとする課題】
【０００３】
上記の特許文献１の沈床木工では、従来の針金や丸太を用いた手作業による枠体の組み立て作業を簡易化し、労力を軽減することを企図したものである。図  Ａ，Ｂ      は、特許文献の木工沈床の分解斜視図及び要部縦断面図であるが、この従来の木工沈床は、木杆１５０ａの上に直角に木杆１５０ｂを渡し、その交差部において、上下の木杆１５０に互いに連続する孔１５２ａ、１５２ｂをそれぞれあけ、上側の木杆１５０ｂの孔１５２ｂには、内面に雌ねじを刻んだねじ筒１５４を納め、ねじ筒の上部のつば１５６を釘で木杆に固定する．下側の木杆１５０ａの孔に下からボルト１５８を差し、ボルトの先をねじ筒１５４に螺合して、締め付けている。そして、ねじ筒１５４にタイボルト１６０をねじ込んで立て、これらのタイボルトに、他の木杆を一本一本、互い違いに串通し、最後にナット１６２を締め付けて構築するものであった。
【０００４】
しかしながら、この特許文献１の木工沈床では、図Ａに示すように、下側の木杆１５０ａの孔１５２に下からボルト１５８を挿入してねじ筒１５４に螺合させるから、実際にはねじ筒１５４を予め上側の木杆１５０ｂに挿入固定させておき、その状態でボルト１５８を下側から螺合させる必要がある。したがって、例えば１辺２メートル程度の長さで１５０ミリメートル角程度の断面大きさの角材であれば数十キログラムの重量を持ち、しかも水辺で水に濡れ易い環境であり、しかも木杆を上下に重ねた状態でボルト通しを行うから、人力のみで組み付け作業を行うのは現実には困難であった。したがって、この基礎枠体部分のみを工場で予め組み付けたものを枠ごと施工現場に運搬して施工するか、または、作業現場に重機を導入して木杆の片側のみを吊り上げた状態でしか組み付け作業を行うことができず、よって、組み付け精度が悪く構造体全体としての組み付け強度の信頼性が劣るばかりでなく、組み付け作業時間がかかるものであった。したがって、現実には工場でのプレハブ的な組み付けとせざるを得ず、よって、搬送用車両の確保が必要で、積み下ろし作業に手間がかかり、現場での予期できない環境に対応した枠体の組み付け作業ができないという問題があった。さらに、特許文献１の木工沈床では、下部のボルト１５８と、上部のボルト１６０とは分割されており、したがって大きな外部負荷が加わった場合にタイボルト下端部分で折損したり、あるいは抜けや緩みのおそれがあった。また、ボルト数が２個であるため、そのぶんの取付け、締め込み作業が必要で通し連結部分の箇所が多い場合には工数が多くなって作業効率を阻害するものとなっていた。さらに、ボルト１５８の長さはこれを挿入させる下側木杆１５０ａの厚み幅に対応した長さとしなければならず、木杆１５０ａの厚みが薄い場合には、タイボルトの下端が下部ボルトに突き当たり、それ以上締まらないために木杆同士にガタツキが生じ、構造体の強度や組み付け精度が劣るという問題があった。一方、最下位の木杆の底面は施工地盤に安定設置する必要があるから、できるだけ密着状に設置する必要があり、この点から、最下位の木杆の底面に突設部分を作らないようにする必要があった。
【０００５】
本発明は、上記従来の課題に鑑みてなされたものであり、その１つの目的は、施工現場で簡単かつ短時間に組み付けでき、施工現場の具体的な地形に則して柔軟に構造体を構築し得る木工沈床の通し連結部分の固定構造、柱材どうしの通し連結部の連結方法並びにその連結部構造を提供することにある。また、本発明の他の目的は、作業労力を大幅に軽減でき、簡易に構造体の組み付け施工を実現し得る木工沈床の通し連結部分の固定構造、柱材どうしの通し連結部の連結方法並びにその連結部構造を提供することにある。
【課題を解決するための手段】
【０００６】
上記の目的を達成するために、本発明は、内側に石材等を充填する収容部１２を形成するように基礎枠１４の周縁上部に複数の横倒し状の柵材１６を積層し組み付けて形成する沈床木工であり、基礎枠１４の木製枠材１４１に設けたボルト連結用縦通し孔１４１ａに挿入嵌合されるねじ筒２０と、ねじ筒に一体的に連結されてねじ筒を縦通し孔１４１ａに挿入嵌合した状態でねじ筒２０が動かないように枠材１４１に固定させる固定部２２と、を含むねじ筒体２４と、固定部２２を底面側に配置した状態で上方から該縦通し孔１４１ａに下端を挿入されてねじ筒２０に螺着される長ボルト２６と、長ボルト２６に挿通されて柵材１６を交差状にそれぞれの縦通し孔１６１ａ，１６２ａ，１６３ａ．．．に刺し通し、最上位の柵材１６４から突設する長ボルトの上端側から締結させる締結部材２８と、を有する木工沈床の通し連結部分１０の固定構造から構成される。
【０００７】
その際、固定部２２は、ねじ筒２０を縦通し孔１４１ａに挿入嵌合した状態で枠材１４１の底面から全く突出しないか、又は薄板状のつば部３０が底面に当たる態様で配置されるようにするとよい。
【０００８】
また、長ボルト２６の下端を縦通し孔１４１ａのねじ筒２０に螺着させるに先立って、予め該長ボルト２６のねじ部２６ａにその安定支持用の薄板状ナット部材３８を螺合させるとよい。
【０００９】
また、長ボルト２６の基礎枠１４の枠材１４１に挿入される下端側には該基礎枠１４の枠材の通し孔１４１ａ長さと略同じ長さのねじ部２６ａが刻設されており、長ボルト２６に柵材１６の縦通し孔１６１ａ，１６２ａ．．．から挿通させ最上位の柵材１６４の上部から締着部材２８で締着させるときに長ボルト２６と薄板状ナット部材３８が共回りしつつ基礎枠材１４を締め付けるようにするとよい。
【００１０】
また、本発明は、木製柱材を積層して構造体を形成する際の柱材どうしの通し連結部の連結方法であり、横倒しした最下部の柱材に設けたボルト連結用縦通し孔に、ねじ筒と、ねじ筒に一体的に連結されてねじ筒を縦通し孔に挿入嵌合した状態でねじ筒が動かないように柱材に固定させる固定部と、を含むねじ筒体を取付け、固定部を底面側に配置した状態で上方から該縦通し孔に長ボルトを挿入してその下端をねじ筒に螺着させ、長ボルトの突出部分に他の木製柱材の縦通し孔を挿通させて刺し通しし、最上位の柱材から突設する長ボルトの上端側から締結部材を介して締結させることを特徴とする柱材どうしの通し連結部の連結方法から構成される。
【００１１】
その際、長ボルトの下端を縦通し孔のねじ筒に螺着させるに先立って、予め該長ボルトのねじ部にその安定支持用の薄板状ナット部材を螺合させるとよい。
【００１２】
さらに、本発明は、上記の方法を用いて構築した柱材どうしの通し連結部構造から構成される。
【発明の効果】
【００１３】
本発明の木工沈床の通し連結部分の固定構造は、内側に石材等を充填する収容部を形成するように基礎枠の周縁上部に複数の横倒し状の柵材を積層し組み付けて形成する沈床木工であり、基礎枠の木製枠材に設けたボルト連結用縦通し孔に挿入嵌合されるねじ筒と、ねじ筒に一体的に連結されてねじ筒を縦通し孔に挿入嵌合した状態でねじ筒が動かないように枠材に固定させる固定部と、を含むねじ筒体と、固定部を底面側に配置した状態で上方から該縦通し孔に下端を挿入されてねじ筒に螺着される長ボルトと、長ボルトに挿通されて柵材を交差状にそれぞれの縦通し孔に刺し通し、最上位の柵材から突設する長ボルトの上端側から締結させる締結部材と、を有する構成であるから、ねじ筒体を枠材に嵌着固定して反転後に上方から長ボルト螺着、棚材の交差積層配置、締結等の作業ができ、施行現場において簡単かつ短時間に木工沈床構造体を構築できる。また、長ボルトがすべての木製材料を貫通した状態で締結一体化されるから、構造体全体の強度を高く維持し得る。さらに、枠材の底面側に突設部分を形成させないか、わずかの板厚ぶん程度の突出程度でよく、岩盤などの施工地盤においても円滑かつ安定して構造体を設置できる。
【００１４】
また、固定部は、ねじ筒を縦通し孔に挿入嵌合した状態で枠材の底面から全く突出しないか、又は薄板状のつば部が底面に当たる態様で配置される構成とすることにより、岩盤がコンクリートブロックの上面などの底面が固い施工現場における施工の実効を図れる。
【００１５】
また、長ボルトの下端を縦通し孔のねじ筒に螺着させるに先立って、予め該長ボルトのねじ部にその安定支持用の薄板状ナット部材を螺合させた構成とすることにより、長ボルトへの棚材の交差状積み上げ作業を円滑、確実に行なえる上に、上部枠材より上部の木製材と基礎枠材とで締め付け限界を設定でき、ねじ締めが利かなくなるような状況を回避して連結強度を確保し得る。
【００１６】
また、長ボルトの基礎枠の枠材に挿入される下端側には該基礎枠の枠材の通し孔長さと略同じ長さのねじ部が刻設されており、長ボルトに柵材の縦通し孔から挿通させ最上位の柵材の上部から締着部材で締着させるときに長ボルトと薄板状ナット部材が共回りしつつ基礎枠材を締め付ける構成とすることにより、上部枠材や棚材の締め付け力確保とともに、下部枠材に対する長ボルトの締め付けを強固にさせて構造体全体の安定した強度の確保を行なえる。
【００１７】
また、本発明の柱材どうしの通し連結部の連結方法によれば、木製柱材を積層して構造体を形成する際の柱材どうしの通し連結部の連結方法であり、横倒しした最下部の柱材に設けたボルト連結用縦通し孔に、ねじ筒と、ねじ筒に一体的に連結されてねじ筒を縦通し孔に挿入嵌合した状態でねじ筒が動かないように柱材に固定させる固定部と、を含むねじ筒体を取付け、固定部を底面側に配置した状態で上方から該縦通し孔に長ボルトを挿入してその下端をねじ筒に螺着させ、長ボルトの突出部分に他の木製柱材の縦通し孔を挿通させて刺し通しし、最上位の柱材から突設する長ボルトの上端側から締結部材を介して締結させる。また、長ボルトの下端を縦通し孔のねじ筒に螺着させるに先立って、予め該長ボルトのねじ部にその安定支持用の薄板状ナット部材を螺合させる。これによって、ねじ筒体を枠材に嵌着固定して反転後に上方から長ボルト螺着、棚材の交差積層配置、締結等の作業ができ、施行現場において簡単かつ短時間に柱材どうしの通し連結部構造体を構築できる。また、長ボルトがすべての木製材料を貫通した状態で締結一体化されるから、構造体全体の強度を高く維持し得る。さらに、枠材の底面側に突設部分を形成させないか、わずかの板厚ぶん程度の突出程度でよく、岩盤などの施工地盤においても円滑かつ安定して構造体を設置できる。
【発明を実施するための最良の形態】
【００１８】
以下、添付図面を参照しつつ本発明を実施するための最良の形態について説明する。本発明の一つは、河川等の根固め用等の構築物としての木工沈床の通し連結部分の固定構造に関するものである。図１ないし図８は、本発明の一実施形態を示しており、本実施形態の木工沈床の通し連結部分の固定構造は、図１のように、内側に図示しない石材等を充填する収容部１２を形成するように四角形格子状に組み付けた基礎枠１４の周縁上部に複数の横倒し状の柵材１６を積層し組み付けて形成する沈床木工の四隅の通し連結部１０に形成される。
【００１９】
図１の木工沈床は、例えば河川の川床に敷設されて川の流れにより川床が洗掘されて両護岸が自然流出し地形が破壊されるのを防止するものであり、自然石等を投入する際に受ける有底土台部を形成する基礎枠１４を形成し、その周囲に柵材１６を積層して大型の容器状として形成したものである。図において、基礎枠１４は、平行に配置した２本の例えば２メートル長さ程度の木製下部枠材１４１上に直交方向にそれぞれある程度の密な間隙で複数の上部枠材１４２を交差配置させて構成されたもので、両端の上部枠材１４２と下部枠材１４１とは四角形格子状に組み合わされて配置されている。両端の上部枠材１４２以外の中間の枠材１４２は釘等の固定部材１８により下部枠材１４１に固定されている。これらの上部枠材１４２部分が沈床木工構造体の底壁を形成し、投入される石材等を支持する。図２に示すように、上下の枠材１４２、１４１の両端にはそれぞれ縦通し孔１４２ａ、１４１ａが穿孔されている。
【００２０】
柵材１６は、基礎枠１４の四辺縁に配置されそれぞれの両端部を直交状に交差配置させて格子状に組みつけられて容器状構造体の側壁部分を形成するものであり、実施形態において、基礎枠１４の上部に平行一対の基礎枠材と同様の棚材１６を４層格子状に積み上げて配置させている。各棚材１６の両端には縦通し孔１６１ａ、１６２ａ，１６３ａ、１６４ａが穿孔されている。実施形態において、通し連結部１０は、これらの基礎枠１４と棚材との通し状の連結部分となる容器状構造体の四隅に形成される。
【００２１】
本実施形態の通し連結部分の固定構造は、ねじ筒２０の縦通し孔１４１ａへの嵌着とともに下部枠材１４１へ該ねじ筒２０を一体的に固定させる固定部２２を有するねじ筒体２４と、上方から下部枠材１４１の縦通し孔１４１ａに挿入されてねじ筒２０に螺着される長ボルト２６と、上部枠材１４２と柵材１６のそれぞれの縦通し孔１４２ａ、１６１ａ，１６２ａ．．．に長ボルト２６を刺し通しした状態で長ボルトの上端側を締結させる締結部材２８と、を備えている。
【００２２】
ねじ筒２０は下部枠材１４１の縦通し孔１４１ａに嵌合するとともに内壁にねじ溝２０ａを刻設した筒であり、縦通し孔１４１ａに嵌合した状態で例えば図２に示すように枠材１４１の厚み幅の略半分程度の長さで枠材内に挿入される。例えば、下部枠材１４１は図２上の上下厚さが１２０ｍｍであり、したがって、その場合ねじ筒長さは６０ｍｍとなっている。なお、ねじ筒長さはより長く形成してもよい。固定部２２は、ねじ筒２０の縦通し孔１４１ａへの嵌着時に該ねじ筒２０を下部枠材１４１に対して固定状態とするようにし得る部位であり、本実施形態において、例えば図６（ａ）のように、ねじ筒２０の下端側から拡大したつば部３０を一体形成し、つば部３０に設けた固定用孔を介して釘やビス等の固定子３２により孔に嵌着したねじ筒２０が動かないように固定させている。固定子３２は、ねじ筒２０を縦通し孔１４１ａへ嵌着する際に同時にねじ筒体２４全体が枠材１４１に固定状態を確保できるようにするものであり、その形態は種々考えられる。例えば図６（ｂ）のように、釘等による枠材への固定子に対応する枠体内部方向に穿刺部材を向けた打ち込み部３４をつば部３０に予め一体固定しておき、ねじ筒の縦通し孔１４１ａへの嵌着時に同時に枠材に打ち込まれて固定したり、図（ｃ）のように、穿刺部材をつば部の隅部を押し立てた構成としたり、あるいは、図（ｄ）のように、つば部自体を設けずにねじ筒の胴側部から側方に向けて直接に矢羽根状に突設させる部位を一体に設けるようにしても良い。
【００２３】
図２、３において、長ボルト２６は、施工時に固定部２２を底面側に配置した状態で上方から縦通し孔１４１ａに挿入されてねじ筒２０に螺着される通し連結部材本体であり、図２のように最終的に構造体を組み付けた状態で上下に貫通状に挿入されて締結される。長ボルト２６は下端をねじ筒２０にある程度ねじ込ませた状態で下部枠材１４１上に柵材通し部２６１を突出させて立設支持される。その状態で、上部枠材１４２、柵材１６の縦通し孔１４２ａ、１６１ａ，１６２ａ．．．に上方立設部を挿通させながら串刺し状に交差状に積み上げていき、最上位の柵材１６４の上部から締着部材２８で締着させる。本実施形態において、長ボルト２６は、その両端部のみに所要のストロークのねじ部が刻設されている。本実施形態では、長ボルトの基礎枠の枠材に挿入される下端側のねじ部２６ａは枠材１４１の通し孔１４１ａの長さと略同じ長さで刻設されている。したがって、長ボルトの非ねじ部により螺合が止まるまで、ねじ込み動作によりねじ筒２０のねじ溝２０ａと長ボルトの下ねじ部２６ａとの螺合可能部分だけ長ボルトはねじ筒内を螺進し、基礎枠と柵材全体を締め付ける。長ボルトの下ねじ部２６ａの刻設長さはより長く設定して原理的には下枠材１４１の底面から下方に突設させても良いが、施工地盤が固い岩盤などのような場合には構造体全体の現場での設置状態が不安定となるから、適宜作業現場の状況に応じて長さを設定できる。好適には固定部２２はねじ筒２０を縦通し孔１４１ａに挿入嵌合下状態で枠材１４１の底面から全く突出しないようにするのがよい。あるいは、突出するとしても例えば図６（ａ）のように、薄板状のつば部が当たる程度とするのが良い。
【００２４】
締結部材２８は棚材１６を長ボルト２６に挿通させて最上位の柵材１６４から突設する長ボルトの上端側に締結させる袋ナットから構成されている。なお、３６はワッシャである。
【００２５】
図２，３において、本実施形態ではさらに、下部枠材１４１と上部枠材１４２との間にスペーサのように薄板状ナット部材３８が配置されている。この薄板状ナット部材３８は、長ボルト２６を下部枠材１４１の縦通し孔１４１ａに上方から挿入してねじ筒２０に螺着させて立てる際に、上方に突き出上方立設部を安定支持させてその後の棚材１６を上部に向けて積み上げ状に組み付けしやすくさせるとともに、長ボルト２６を基礎枠１４に対してある程度の係合関係で仮に固定状態とさせる。この薄板状ナット部材３８は、図３のようにドーナツ型で形成され、その内壁には長ボルト２６に螺合するねじ溝が刻設されている。この薄板状ナット部材３８は、図５に示すように、長ボルト２６の下端を縦通し孔のねじ筒２０に螺着させるに先立って、予め該長ボルトのねじ部に螺合される。その状態で、縦通し孔１４１ａに下降挿入され、ねじ筒に螺着される。
【００２６】
次に、本実施形態の木工沈床の構造体の構築方法について図４ないし図８も参照して説明すると、図４のように基礎枠１４の下部枠材１４１の縦通し孔１４１ａにねじ筒２０をあてがってハンマ等の叩打部材で叩打することによりねじ筒を縦通し孔１４１ａ内に嵌着させると同時に、固定子３２が枠材に打ち込まれ、ねじ筒は枠材の板厚の略半分程度まで挿入された状態で完全に枠材に対して固定状態となる。この状態から図５のように、枠材１４１を反転し、上方から薄板状ナット部材３８を螺合させた長ボルト２６を縦通し孔１４１ａに挿入し、下端をねじ筒のねじ部に螺着させ、長ボルトの上部側の上方立設部を安定支持させる。この状態で棚材１６を順次直交配置しながら交差状に積み上げていき、図７，８のように、最上位の棚材１６４から突出する長ボルトの上端に袋ナットを締結させる。袋ナットを締め付けると、薄板状ナット部材３８は、図２のように上下枠材１４２，１４１間に挟まれて重力加圧されているから長ボルトのみが回転し、基礎枠及び棚材全体の通し連結部を締め付けて一体化させる。このとき、長ボルト２６と薄板状ナット部材３８とは、長ボルトの非ねじ部で螺進が停止し、これ以上は棚材部分が締まらないとともに、両者は共回りしつつ基礎枠材を締め付ける。したがって、基礎枠と棚材全体の通し連結長さに対する長ボルトのねじ部ストローク長さを設定することにより、棚材の締め付け度合いの限界を設定して螺子利きを有効に確保する上に、長ボルトの下端部寄り部分で共回りしながら下部枠材を強固に締め付ける。これによって、施行現場において簡単な操作で、しかも短時間に構造体の構築ができる。
【００２７】
以上は、構造体を木工沈床用の容器状構造体の構築における通し連結部の固定構造について説明したが、本発明は、他の構造体についても適用できる。例えば、基礎枠や棚材の区別をしない木製柱材の積層により構造体を形成する場合であり、木製柱材を積層して構造体を形成する際の柱材どうしの通し連結部の連結に際し、横倒しした最下部の柱材（１４１）に設けたボルト連結用縦通し孔（１４１ａ）に、ねじ筒（２０）と、ねじ筒に一体的に連結されてねじ筒を縦通し孔に挿入嵌合した状態でねじ筒が動かないように柱材に固定させる固定部（２２）と、を含むねじ筒体（２４）を取付け、固定部（２２）を底面側に配置した状態で上方から該縦通し孔（１４１ａ）に長ボルト（２６）を挿入してその下端をねじ筒（２０）に螺着させ、長ボルト（２６）の突出部分に他の木製柱材の縦通し孔を挿通させて刺し通しし、最上位の柱材から突設する長ボルトの上端側から締結部材（２８）を介して締結させる柱材どうしの通し連結部の連結構造により構成できる。
【００２８】
その際、長ボルトの下端を縦通し孔のねじ筒に螺着させるに先立って、予め該長ボルトのねじ部にその安定支持用の薄板状ナット部材を螺合させるようにしてもよい。
【００２９】
以上説明した本発明の木工沈床の通し連結部分の固定構造、柱材どうしの通し連結部の連結方法並びにその連結部構造は、上記した実施形態のみの構成に限定されるものではなく、特許請求の範囲に記載した本発明の本質を逸脱しない範囲において、任意の改変を行ってもよい。
【産業上の利用可能性】
【００３０】
本発明の木工沈床の通し連結部分の固定構造、柱材どうしの通し連結部の連結方法並びにその連結部構造は、通常の河川根固め用木工沈床工ばかりでなく、一般の建築、土木等における木製角材の通し連結が必要な部位について適用できる。その際、枠在や棚材、あるいは柱材等は必ずしも交差状に連結させる場合だけでなく、単に横倒し状に同一方向に揃えた状態で積層連結させる連結態様においても適用し得る。
【図面の簡単な説明】
【００３１】
【図１】本発明の一実施形態に係る木工沈床の通し連結部分の固定構造を適用した木工沈床構造体の組み付け完了状態の斜視図である。
【図２】図１の構造体の要部拡大縦断面図である。
【図３】図１の木工沈床の通し連結部分の固定構造における金具部分のみの分解斜視説明図である。
【図４】図２の固定構造の作用説明図である。
【図５】同じく、図２の固定構造の作用説明図である。
【図６−ａ】は、実施形態に係る固定部を説明する斜視説明図である。
【図６−ｂ】は、固定部の他の態様を説明する斜視説明図である。
【図６−ｃ】は、固定部の他の態様を説明する斜視説明図である。
【図６−ｄ】は、固定部の他の態様を説明する斜視説明図である。
【図７】図２の固定構造の作用説明図である。
【図８】図２の固定構造の作用説明図である。
【図９】従来の固定構造の分解斜視説明図である。
【図１０】図９の固定構造の要部縦断面図である。
【符号の説明】
【００３２】
１０  通し連結部
１２  基礎枠
１６  棚材
２０  ねじ筒
２２  固定部
２４  ねじ筒体
２６  長ボルト
２８  締結部材
３８  薄板状ナット部材
１４１  下部枠材
１４１ａ  縦通し孔
１４２  上部枠材
１４２ａ  縦通し孔
１６１ａ〜１６４ａ  縦通し孔
【図１】
2006037675.tif 000003
【図２】
2006037675.tif 000004
【図３】
2006037675.tif 000005
【図４】
2006037675.tif 000006
【図５】
2006037675.tif 000007
【図６−ａ】
2006037675.tif 000008
【図６−ｂ】
2006037675.tif 000009
【図６−ｃ】
2006037675.tif 000010
【図６−ｄ】
2006037675.tif 000011
【図７】
2006037675.tif 000012
【図８】
2006037675.tif 000013
【図９】
2006037675.tif 000014
【図１０】
2006037675.tif 000015